(57)【要約】      （修正有）【課題】ユーザが簡単に所望の情報を見つけることができる表示装置を提供する。【解決手段】ＭＦＰによれば、ユーザは、指を接触させる操作を１秒以上継続するという簡単な操作により、追従処理を開始させることができる。そして、指を接触させ続ける間は、追従処理により、比較的高速で画像３０ａの入れ替えが行われるので、短時間で、目標とする画像３０ａに近づくことができる。さらに、ユーザは、任意の時点において、簡単な減衰指示操作を行うことにより、追従処理を終了させて減衰処理を開始させ、画像３０ａの見かけ上の移動速度を低減させることができる。【選択図】図３
2011100183.tif 000002
【特許請求の範囲】
【請求項１】
表示順序が対応づけられた複数の情報のうち、所定個数の情報を表示対象として、その表示対象とした所定個数の情報を前記表示順序に従った配列で表示出力する表示手段と、
入力媒体が接近または接触した位置を検出する検出手段と、
前記検出手段により検出される前記入力媒体が接近または接触した位置に対応した目標表示順序を取得する目標取得手段と、
前記表示手段に表示中の前記情報の表示順序から、前記目標取得手段により取得される目標表示順序まで、前記表示順序に従った順序で、前記表示対象とする前記所定個数の情報を順次切り替えることにより、前記情報を前記表示順序に従った順序で前記表示手段に表示出力させる制御手段とを備え、
前記制御手段は、
前記表示対象とする情報の切り替えを開始した後に、所定の操作が行われることを条件として、単位時間の最初に表示出力される情報の表示順序と当該単位時間の最後に表示出力される情報の表示順序との差が、前記所定の操作が行われる前よりも小さくなるように、前記表示手段における表示出力を制御することを特徴とする表示装置。
【請求項２】
前記制御手段は、
前記所定の操作が行われた後は、前記表示手段に表示される情報の表示順序が、前記目標取得手段に取得される前記目標表示順序に近づくほど、前記単位時間の最初に表示出力される情報の表示順序と当該単位時間の最後に表示出力される情報の表示順序との差が小さくなるように、前記表示手段における表示出力を制御するものであることを特徴とする請求項１記載の表示装置。
【請求項３】
前記制御手段は、
前記検出手段により前記入力媒体の接近または接触が所定時間以上継続して検出されることを条件として、前記表示対象とする情報の切り替えを開始するものであって、
前記入力媒体が遠ざかる又は非接触となる場合を、前記所定の操作が行われたものとして、前記表示手段における表示出力を制御することを特徴とする請求項１または２に記載の表示装置。
【請求項４】
前記単位時間の最初に表示出力される情報の表示順序と当該単位時間の最後に表示出力される情報の表示順序との差に対応した移動量を取得するための第１の関係に基づいて第１移動量を取得する第１移動量取得手段と、
前記第１の関係とは異なる第２の関係に基づいて第２移動量を取得する第２移動量取得手段とを備え、
前記制御手段は、前記所定の操作が行われるまでは、前記第１移動量取得手段により取得される第１移動量に基づいて、前記表示手段における表示出力を制御し、前記所定の操作が行われたことを条件として、前記第２移動量取得手段により取得される第２移動量に基づいて、前記表示手段における表示出力を制御するものである請求項１から３のいずれかに記載の表示装置。
【請求項５】
前記第１移動量取得手段は、
前記表示手段に表示される情報の表示順序が、前記目標取得手段に取得される前記目標表示順序に近づくほど、前記単位時間の最初に表示出力される情報の表示順序と当該単位時間の最後に表示出力される情報の表示順序との差が小さくなるように、前記第１移動量を取得するものである請求項４記載の表示装置。
【請求項６】
前記所定の操作が行われたときに前記第１移動量取得手段により取得される前記第１移動量に対応した、前記単位時間の最初に表示出力される情報の表示順序と当該単位時間の最後に表示出力される情報の表示順序との差が、前記所定の操作が行われたときに前記第２移動量取得手段により取得される第２移動量に対応した、前記単位時間の最初に表示出力される情報の表示順序と当該単位時間の最後に表示出力される情報の表示順序との差よりも小さいかを判断する判断手段を備え、
前記制御手段は、前記判断手段により、前記第１移動量に対応した前記単位時間の最初に表示出力される情報の表示順序と当該単位時間の最後に表示出力される情報の表示順序との差が、前記第２移動量に対応した、前記単位時間の最初に表示出力される情報の表示順序と当該単位時間の最後に表示出力される情報の表示順序との差よりも小さいと判断される場合、前記所定の操作が行われた後、前記第１移動量取得手段により取得される第１移動量に基づいて、前記表示手段における表示出力を制御するものである請求項５記載の表示装置。
【発明の詳細な説明】
【技術分野】
【０００１】
本発明は、表示装置に関するものである。
【背景技術】
【０００２】
表示面に表示されたスライドバー上のスライダにユーザがタッチし、その表示面上で指を滑らす操作を行うことに基づいて、スライダの表示位置を変更し、且つ、該スライダの変更前の位置に応じた情報から変更後の位置に応じた情報までの情報が順番に画面上を移動していくとユーザに視認させるための表示をする装置が開示されている。特許文献１は、表示対象とされる情報の全体量がスライダの移動可能範囲に対応し、１度に表示できる情報の量がスライダの幅に対応したスライドバー操作装置を開示している。
【先行技術文献】
【特許文献】
【０００３】
【特許文献１】特開２００４−１３９３２１号公報
【発明の概要】
【発明が解決しようとする課題】
【０００４】
しかしながら、上記特許文献１に記載された技術によれば、例えば、１度に表示できる情報の量に比較して、表示対象とされる情報の全体量が大きい場合は、スライダを僅かに動かしただけでも非常に多くの情報が短時間に画面上を移動していくとユーザには視認されることとなるので、ユーザは、所望の情報に対応した適切な位置にスライダを合わせて止めることが困難である。その結果、ユーザが所望の情報を見つけ難いという問題点があった。
【０００５】
本発明は、上述した問題点を解決するためになされたものであり、ユーザが簡単に所望の情報を見つけることができる表示装置を提供することを目的としている。
【課題を解決するための手段】
【０００６】
この目的を達成するために、本発明の表示装置は、表示順序が対応づけられた複数の情報のうち、所定個数の情報を表示対象として、その表示対象とした所定個数の情報を前記表示順序に従った配列で表示出力する表示手段と、入力媒体が接近または接触した位置を検出する検出手段と、前記検出手段により検出される前記入力媒体が接近または接触した位置に対応した目標表示順序を取得する目標取得手段と、前記表示手段に表示中の前記情報の表示順序から、前記目標取得手段により取得される目標表示順序まで、前記表示順序に従った順序で、前記表示対象とする前記所定個数の情報を順次切り替えることにより、前記情報を前記表示順序に従った順序で前記表示手段に表示出力させる制御手段とを備え、前記制御手段は、前記表示対象とする情報の切り替えを開始した後に、所定の操作が行われることを条件として、単位時間の最初に表示出力される情報の表示順序と当該単位時間の最後に表示出力される情報の表示順序との差が、前記所定の操作が行われる前よりも小さくなるように、前記表示手段における表示出力を制御する。
【０００７】
なお、本発明は、表示装置、該表示装置を制御する表示制御装置、表示方法、表示装置を制御する表示制御プログラム、該表示制御プログラムを記録する記録媒体等の種々の態様で構成することができる。
【発明の効果】
【０００８】
請求項１記載の表示装置によれば、表示対象とする情報の切り替えが開始された後、所定の操作が行われることを条件として、単位時間の最初に表示出力される情報の表示順序と当該単位時間の最後に表示出力される情報の表示順序との差が、前記所定の操作を行う前よりも小さくなるように、表示手段における表示出力が制御される。よって、ユーザにとっては、任意の時点において、前記所定の操作を行うことにより、その所定の操作を行ってから目標表示順序の情報に至るまでに表示出力される各情報をじっくり視認することができ、簡単に所望の情報を見つけることができるという効果がある。
【０００９】
請求項２記載の表示装置によれば、請求項１記載の表示装置の奏する効果に加え、表示手段に表示出力される情報の表示順序が目標表示順序に近づくにつれて、ユーザは、各情報をよりじっくり視認することができ、簡単に所望の情報を見つけることができるという効果がある。
【００１０】
請求項３記載の表示装置によれば、請求項１または２に記載の表示装置の奏する効果に加え、ユーザは、入力媒体を接近させ又は接触させる操作を所定時間以上継続するという簡単な操作により、表示対象とする情報の切り替えを開始させることができる。さらに、ユーザは、任意の時点において前記入力媒体を遠ざける、または非接触とするという簡単な操作により、単位時間の最初に表示出力される情報の表示順序と当該単位時間の最後に表示出力される情報の表示順序との差を小さくし、各情報をじっくり視認することができるという効果がある。
【００１１】
請求項４記載の表示装置によれば、請求項１から３のいずれかに記載の表示装置の奏する効果に加え、制御手段は、前記所定の操作が行われるまでは、第１移動量に基づいて表示手段における表示出力を制御し、前記所定の操作が行われた後は、第２移動量に基づいて表示手段における表示出力を制御するので、前記所定の操作が行われる前と後とで、移動量を異ならせることができるという効果がある。
【００１２】
請求項５記載の表示装置によれば、請求項４記載の表示装置の奏する効果に加え、表示手段に表示される情報の表示順序が目標表示順序に近づくほど、単位時間の最初に表示出力される情報の表示順序と当該単位時間の最後に表示出力される情報の表示順序との差が小さくなるように第１移動量が取得されるので、表示対象とする情報の切り替えが開始されてからの時間が経過するほど、ユーザは各情報をじっくりと視認することができる。よって、ユーザは、各情報を視認しつつ、適切な時点において、前記所定の操作を行うことができるという効果がある。
【００１３】
請求項６記載の表示装置によれば、請求項５記載の表示装置の奏する効果に加え、前記所定の操作が行われたときに取得される前記第１移動量に対応した前記表示順序の差が、前記所定の操作が行われたときに取得される前記第２移動量に対応した前記表示順序の差よりも小さい場合は、前記所定の操作が行われた後も、前記第１移動量に基づいて、前記表示手段における表示出力が制御されるので、ユーザが所定の操作を行ったときに、単位時間の最初に表示出力される情報の表示順序と当該単位時間の最後に表示出力される情報の表示順序との差が大きくなる、という事態の発生を抑制できるという効果がある。
【００１４】
なお、「判断手段」は、例えば、所定の操作が行われた時点を基準として第１移動量と第２移動量とを算出し、それら算出された第１移動量と第２移動量の大小関係に基づいて判断を行うものであっても良いが、第１移動量および第２移動量に関する他のパラメータの大小関係に基づいて、判断を行うものであっても良い。
【図面の簡単な説明】
【００１５】
【図１】（ａ）は、本発明の表示装置の一例であるＭＦＰの外観構成を示した斜視図であり、（ｂ）は、ＬＣＤに表示される操作画面の一例を示す概略図である。
【図２】ＭＦＰの電気的構成を示すブロック図である。
【図３】スライドバーの操作方法の一例を説明する概略図である。
【図４】スライド表示における時間と移動量との関係の一例を示すグラフである。
【図５】ＭＦＰにおいて実行される表示更新処理を示すフローチャートである。
【図６】ＭＦＰにおいて実行されるスライドバー操作取得処理を示すフローチャートの一部である。
【図７】ＭＦＰにおいて実行されるスライドバー操作取得処理を示すフローチャートの一部である。
【発明を実施するための形態】
【００１６】
以下、本発明の好ましい実施形態について、添付図面を参照して説明する。図１は、本発明の表示装置の一実施形態である多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。
【００１７】
ＭＦＰ１は、プリンタ機能、スキャナ機能、ファクシミリ機能、及び、コピー機能などの各種機能を有し、その正面上部は、横長形状の操作パネル６が設けられている。この操作パネル６は、ＭＦＰ１を操作するためのものであり、操作キー１５と、ＬＣＤ１６と、タッチパネル１７とが主に設けられている。
【００１８】
このＬＣＤ１６の表示面には、入力装置の一種であるタッチパネル１７が配設されている。タッチパネル１７は、表面全体が碁盤の目のように細かく（例えば、１ｍｍ間隔に）区分けされており、区分けされた各領域（以後、「検出領域」と称する）に、指の接触を検出する電極（センサ）が配設されている。なお、ユーザは、指でタッチパネル１７に触れるものとして本実施形態を説明するが、ペン先など、指以外の入力媒体で操作を行っても、タッチパネル１７に同様の入力をすることができる。
【００１９】
また、各検出領域には、それぞれ個別に各検出領域を識別するための識別番号が付されており、タッチパネル１７の左上の検出領域の識別番号を（０，０）として、Ｘ方向（タッチパネル１７の横方向）およびＹ方向（タッチパネル１７の縦方向）に向かって番号が連続するように識別番号（ｘ，ｙ）が付されている。なお、識別番号は、タッチパネル１７の右方向および下方向に向かうほど大きくなる。
【００２０】
このタッチパネル１７では、指の接触が検出された場合、指の接触が検出されている検出領域の識別番号（ｘ，ｙ）が全て特定される。ＣＰＵ１０（図２参照）は、タッチパネル１７により検出された識別番号（ｘ，ｙ）の検出領域に対応する各処理を実行する。
【００２１】
図１（ｂ）は、ＬＣＤ１６に表示される操作画面の一例を示す図である。ＭＦＰ１に接続された記憶媒体またはＭＦＰ１のフラッシュメモリ１４(図２)などに記憶された複数の画像ファイルの中からユーザに所望する（例えば、印刷したい）ファイルを選択させる場合、まず、ＭＦＰ１は、ファイル作成日時等に基づく表示順序を各ファイルに対応付ける。そして、ＭＦＰ１は、表示順序が対応づけられたファイルに基づく画像３０ａ（すなわち、表示順序が対応づけられた画像３０ａ）のうち、所定個数（本実施形態では６個）の画像３０ａを表示対象として、その表示対象とした６個の画像３０ａの表示順序がＬＣＤ１６の表示面の右端に向かって大きくなるような配列で、６個の画像３０ａをＬＣＤ１６に表示出力させる。
【００２２】
ファイル数が多く、全ての画像３０ａを一覧表示できない場合、ＭＦＰ１は、ＬＣＤ１６においてスライド表示を行う。スライド表示とは、表示中の画像３０ａを一定数ずつ、表示順序に従って入れ替えながら表示していくことで、画像３０ａが画面上を順番に移動していくとユーザに視認させ、ひいては、ユーザが全ファイルを閲覧できるように表示することである。画面に表示される所定個数の画像３０ａのうち一部ずつを入れ替えるいわゆるスクロール表示や、画面に表示される所定個数の画像３０ａの全てを一度に切り替えて表示することも、スライド表示に相当する。
【００２３】
特に、このＭＦＰ１は、ＬＣＤ１６にスライド表示される多数の画像３０ａの中から、ユーザが簡単に所望の画像３０ａを見つけることができるように構成されている。
【００２４】
図１（ｂ）に示すように、ＬＣＤ１６の表示面には、ＬＣＤ１６の上方から下方に向かって順に、タイトル表示エリア２９と、画像表示エリア３０と、右スクロールキー３１と、左スクロールキー３２と、スライドバー３３と、スライダ３４とが表示される。
【００２５】
タイトル表示エリア２９は、操作画面のタイトル２９ａとページ数２９ｂとが表示される領域である。
【００２６】
画像表示エリア３０内には、表示対象とされた６個の画像３０ａが表示される。図１（ｂ）においては、各画像３０ａの表示順序を分かり易くするために、表示中の各画像３０ａには、それぞれの表示順序を付している。つまり、図１（ｂ）では、表示順序「１〜６」の各画像３０ａが表示されていることを示している。本実施形態では、一画面に一度に表示される単位である６個の画像３０ａの集合を、１ページとして取り扱う。そして、全ファイル数を６で割り、余りを繰り上げた数値を、ページ数２９ｂの分母として示し（図１（ｂ）に示す例では９９９９）、画像表示エリア３０に表示中のページ数を、ページ数２９ｂの分子としてユーザに示す（図１（ｂ）に示す例では００１）。なお、画像表示エリア３０に表示される画像３０ａの中から、ユーザが所望の画像３０ａを認識することができるよう、画像３０ａの基であるファイルの作成日付などが表示順序と共に画像３０ａに付されても良い。また、画像表示エリア３０に表示される各画像３０ａは、各ファイルのサムネイル画像であっても良い。
【００２７】
図１（ｂ）に示す操作画面において、右スクロールキー３１に重なる領域にてユーザの指がタッチパネル１７に触れる操作が行われると、画像表示エリア３０における表示を、その時点で表示中の１ページから１つ後のページへ切り替える。逆に、左スクロールキー３２に重なる領域にてユーザの指がタッチパネル１７に触れる操作が行われると、画像表示エリア３０における表示を、その時点で表示中の１ページから１つ前のページへ切り替える。
【００２８】
スライドバー３３は、その横方向幅がファイルの全体数を表しており、スライドバー３３の各位置が、表示順序に対応している。具体的には、スライドバー３３に向かって左端位置が最小の表示順序に対応し、向かって右端が最大の表示順序に対応し、右端に向かうほど、対応する表示順序が大きくなる。
【００２９】
スライダ３４は、画像表示エリア３０に表示されている画像３０ａの基であるファイルの表示順序に対応する検出領域を示す指標である。例えば、図１（ｂ）に示すように、表示順序が１から６の画像３０ａが表示されているとき、スライダ３４は、表示順序が１から６の表示順序に対応づけられたスライドバー３３の領域に描画される。
【００３０】
ＭＦＰ１は、タッチパネル１７における、スライドバー３３に重なる領域にて、ユーザの指の接触が所定時間以上（本実施形態では１秒以上）継続して検出されることを条件として、スライド表示を開始する。すなわち、画像表示エリア３０において表示対象とする画像３０ａの切り替えを開始する。詳細は、図３を参照して後述する。
【００３１】
図２を参照して、ＭＦＰ１の電気的構成について説明する。図２（ａ）は、ＭＦＰ１の電気的構成を示すブロック図である。ＭＦＰ１は、ＣＰＵ１０、ＲＯＭ１１、ＲＡＭ１２、ＶＲＡＭ１３、フラッシュメモリ１４、操作キー１５、ＬＣＤ１６、タッチパネル１７、スキャナ２０、プリンタ２１、ＮＣＵ２３、モデム２４とを主に有している。
【００３２】
ＣＰＵ１０、ＲＯＭ１１、ＲＡＭ１２、ＶＲＡＭ１３、フラッシュメモリ１４は、バスライン２６を介して互いに接続されている。また、操作キー１５、ＬＣＤ１６、タッチパネル１７、スキャナ２０、プリンタ２１、ＮＣＵ２３、モデム２４、バスライン２６は、入出力ポート２７を介して互いに接続されている。
【００３３】
ＣＰＵ１０は、ＲＯＭ１１やＲＡＭ１２やフラッシュメモリ１４に記憶される固定値やプログラム或いは、ＮＣＵ２３を介して送受信される各種信号に従って、ＭＦＰ１が有している各機能の制御や、入出力ポート２７と接続された各部を制御するものである。
【００３４】
ＲＯＭ１１は、ＭＦＰ１で実行される制御プログラムなどを格納した書換不能なメモリである。後述する図５のフローチャートに示す表示更新処理、図６，図７のフローチャートに示すスライドバー操作取得処理を実行する各プログラムは、このＲＯＭ１１に格納されている。
【００３５】
ＲＡＭ１２は、書換可能な揮発性のメモリであり、ＶＲＡＭ１３は、ＬＣＤ１６に表示される１画面分のビットマップデータを記憶するメモリである。ＣＰＵ１０は、ＶＲＡＭ１３に記憶されたビットマップデータを定期的に読み出し、そのビットマップデータに対応した画面をＬＣＤ１６に描画させる。フラッシュメモリ１４は、書換可能な不揮発性のメモリであり、このフラッシュメモリ１４に記憶されたデータは、ＭＦＰ１の電源オフ後も保持される。
【００３６】
図３（ａ）〜（ｄ）は、スライドバー３３の操作方法の一例を説明する概略図である。図３（ａ）に示すように、まず、ユーザはスライドバー３３上の一点に、１秒以上、指を接触させる。この操作を、以下、長押し操作と称する。また、長押し操作前に表示中であった画像３０ａの表示順序を、以下、起点表示順序と称する。
【００３７】
スライドバー３３の各位置は表示順序に対応している。よって、長押し操作が行われた場合、ＭＦＰ１は、その長押し操作が行われたスライドバー３３上の位置に対応した表示順序を目標表示順序として取得する。
【００３８】
次に、図３（ｂ）に示すように、ＭＦＰ１は、起点表示順序から目標表示順序まで、表示順序に従った順序で、表示対象とする６個の画像３０ａを順次切り替えるスライド表示を開始する。なお、起点表示順序よりも目標表示順序が大きい場合、ＭＦＰ１は、表示対象とされる画像３０ａの表示順序が順次大きくなるように、すなわち、ユーザからは、各画像３０ａが向かって左側へ移動してゆくよう見えるよう、表示出力を制御する。逆に、起点表示順序よりも目標表示順序が小さい場合、ＭＦＰ１は、表示対象とされる画像３０ａの表示順序が順次小さくなるように、すなわち、ユーザからは、各画像３０ａが向かって右側へ移動してゆくよう見えるよう、表示出力を制御する。
【００３９】
ＭＦＰ１は、スライド表示の開始後、ユーザが後述する所定の操作を行うまで、第１移動量に基づいて表示出力を制御する。第１移動量に基づくスライド表示を、以下、追従処理と称する。
【００４０】
ここで、「第１移動量」とは、単位時間（例えば、０．６秒間）の間に、表示対象とされる画像３０ａの数を表す値である。具体的には、第１移動量は、単位時間の最初に表示される画像３０ａの表示順序と、単位時間の最後に表示される画像３０ａの表示順序との差を表す。本実施形態では、単位時間が０．６秒であり、第１移動量の初期値が３０であるものとする。第１移動量が３０であるとは、単位時間の最初である０．１秒目に、例えば、１〜６の表示順序の画像３０ａが表示されていた場合、単位時間の最後である０．６秒目に、例えば３１〜３６の画像３０ａが表示される速さで、画像表示エリア３０に表示出力する画像３０ａを入れ替えることを意味している。すなわち、単位時間の最初に表示される６個の画像３０ａのうち最小の表示順序（例えば１）と、単位時間の最後に表示される６個の画像３０ａのうち最小の表示順序（例えば３１）との差が「３０」となるように、画像３０ａを入れ替えることを意味している。
【００４１】
ＭＦＰ１において、ＣＰＵ１０は、ＶＲＡＭ１３に記憶されたビットマップデータを定期的に読み出し、そのビットマップデータに基づく画面をＬＣＤ１６に描画する。したがって、ＭＦＰ１は、第１移動量で画像３０ａの入替えを行うために、ＶＲＡＭ１３に記憶するビットマップデータを、例えば０．１秒間隔で更新する。すなわち、表示順序１から６の画像３０ａを画像表示エリア３０に含む画面に対応したビットマップデータを作成してＶＲＡＭ１３に記憶する処理、表示順序７から１２の画像３０ａを画像表示エリア３０に含む画面に対応したビットマップデータを作成してＶＲＡＭ１３に記憶する処理、・・・表示順序３１から３６の画像３０ａを画像表示エリア３０に含む画面に対応したビットマップデータを作成してＶＲＡＭ１３に記憶する処理の各処理を、それぞれ０．１秒間隔で行う。なお、数値を簡単に表すために単位時間を０．６秒、各処理の間隔を０．１秒としたが、例えば各処理の間隔を０．０１秒間隔など、より短い間隔にし、単位時間も０．６秒よりも短い間隔としてかまわない。逆に、より長い単位時間、より長い間隔としてもよい。
【００４２】
このような追従処理の実行中に、所定の操作が行われると、ＭＦＰ１は追従処理を終了して減衰処理を開始する。なお、本実施形態において、上記所定の操作は、ユーザが指をスライドバー３３から遠ざけ、非接触とする操作である。また、この操作を、以下、減衰指示操作と称する。
【００４３】
図３（ｃ）は、減衰処理におけるＬＣＤ１６の一例を示す図である。減衰処理中、ＭＦＰ１は、第２移動量に基づいて、表示出力を制御する。「第２移動量」とは、第１移動量と同様に、単位時間（例えば、０．６秒間）の間に、表示対象とされる画像３０ａの数を表す。具体的には、ＭＦＰ１は、減衰処理中、単位時間の最初に表示される６個の画像３０ａのうち最小の表示順序と、単位時間の最後に表示される６個の画像３０ａのうち最小の表示順序の差が第２移動量となるように、画像３０ａを入れ替える。
【００４４】
第２移動量の算出方法の詳細は、図４を参照して後述するが、第２移動量の初期値は、所定の操作が行われる直前の第１移動量よりも小さい値である。すなわち、ＭＦＰ１は、追従処理を終了して減衰処理を開始することにより、単位時間の最初に表示出力される画像３０ａの表示順序と当該単位時間の最後に表示出力される画像３０ａの表示順序との差が、前記減衰指示操作が行われる前よりも小さくなるように、表示出力を制御する。これにより、画像表示エリア３０における画像３０ａの見かけ上の移動速度が低減する。なお、単位時間の最初に表示出力される画像３０ａの表示順序と当該単位時間の最後に表示出力される画像３０ａの表示順序との差が小さくなるように制御することを、以下の説明では、画像３０ａの見かけ上の移動速度を低減する、と称する。
【００４５】
なお、図３（ｄ）に示すように、減衰処理の実行中に、ユーザが所定の減衰停止操作を行う場合、ＭＦＰ１は、減衰処理を終了し、画像３０ａの入替えを停止する。本実施形態における減衰停止操作とは、スライドバー３３に指を再度接触させる操作、または、右スクロールキー３１および左スクロールキー３２以外の位置に、指を接触させる操作であるものとする。
【００４６】
なお、スライダ３４は、画像表示エリア３０に表示される画像３０ａの表示順序に対応した位置に表示される。よって、画像表示エリア３０に表示される画像３０ａの表示順序が大きくなるにつれて、スライダ３４の位置は、スライドバー３３内の長押しされた位置に徐々に近づく。
【００４７】
ＭＦＰ１によれば、ユーザは、指を接触させる操作を１秒以上継続するという簡単な操作により、追従処理を開始させることができる。そして、ユーザが指を接触させ続ける間は、追従処理により、比較的高速で画像３０ａの入れ替えが行われるので、短時間で、目標とする画像３０ａに近づくことができる。さらに、ユーザは、任意の時点において、簡単な減衰指示操作を行うことにより、追従処理を終了させて減衰処理を開始させることができる。
【００４８】
よって、ユーザは、所望の表示順序に対応したスライドバー３３内の位置を予測し、その位置を長押しすることにより、追従処理を開始させる。そして、ＬＣＤ１６に表示される画像３０ａの表示順序が、所望の表示順序に近づいてきたら、減衰指示操作を行うことにより、画像３０ａの見かけ上の移動速度を低減させ、目標表示順序の画像３０ａに至るまでに表示出力される各画像３０ａをじっくり視認することができる。その結果、簡単に所望の画像３０ａを見つけることができる。さらに、減衰処理中に所望の画像３０ａを見つけた場合、ユーザは、上述した減衰停止操作を行うことにより、所望の画像３０ａが表示出力された状態で、スライド表示を停止させることができる。
【００４９】
図４は、スライド表示における時間と移動量（第１移動量・第２移動量）との関係の一例を示すグラフであり、横軸がスライドバー３３に指が接触してからの経過時間ｔを表し、縦軸が第１移動量Ｖ１または第２移動量をＶ２表す。ＭＦＰ１は、追従処理においては、下記（１）式に基づいて、第１移動量を所定期間毎に取得し、その第１移動量に基づいてＬＣＤ１６における表示出力を制御する。一方、減衰処理においては、下記（２）式に基づいて、第２移動量を所定期間毎に取得し、第２移動量に基づいてＬＣＤ１６における表示出力を制御する。
第１移動量Ｖ１＝ｖ１０−ｂｔ  ・・・（１）
第２移動量Ｖ２＝ｖ２０−ｃｔ  ・・・（２）
ただし、
ｔは、スライドバー３３に指が接触してからの経過時間
ｖ１０，ｖ２０，ｂ，ｃは定数
ｖ１０＞ｖ２０
ｂ＞ｃ
【００５０】
上記（１），（２）式に基づいて算出される第１移動量および第２移動量は、時間の経過と共に小さくなる値である。したがって、ＭＦＰ１は、ＬＣＤ１６に表示される画像３０ａの表示順序が目標表示順序に近づくほど、単位時間の最初に表示出力される画像３０ａの表示順序と当該単位時間の最後に表示出力される画像３０ａの表示順序との差が小さくなるように、すなわち、画像３０ａの見かけ上の移動速度が低減するような第１移動量および第２移動量を取得する。
【００５１】
したがって、追従処理においては、スライド表示が開始されてからの時間が経過するほど、すなわち、目標表示順序に近づくほど、ユーザは、各画像３０ａをじっくりと視認することができる。よって、ユーザは各画像３０ａを視認しつつ、所望の表示順序の近傍の表示順序の画像３０ａまで表示された適切な時点において、減衰指示操作を行うことにより、適切な時点から減衰処理を開始させることができる。
【００５２】
さらに、減衰処理においても、表示出力される画像３０ａの表示順序が目標表示順序に近づくにつれて、ユーザは、各画像３０ａをよりじっくり視認することができ、簡単に所望の画像３０ａを見つけることができる。
【００５３】
図４に示すように、まず、ユーザがスライダ３４にタッチし、その長押し時間が１秒を超えると（時間ｔ１）、ＭＦＰ１は、第１移動量に基づく追従制御を開始する。
【００５４】
次に、時間ｔ２において、減衰指示操作が行われると、ＭＦＰ１は、第２移動量に基づく減衰処理を開始する。図４に示すように、時間ｔ２において算出される第１移動量（ｖ１０−ｂｔ２）が第２移動量（ｖ２０−ｃｔ２）以上であるので、ＭＦＰ１は、時間ｔ２から、上記（２）式で算出される第２移動量に基づいた減衰処理に移行する。このようにすれば、減衰指示操作が行われる前と後とで、移動量を異ならせ、且つ、画像３０ａの見かけ上の移動速度を大きく低減することができる。
【００５５】
そして、時間ｔ４において、ユーザが、減衰停止操作を行うと、ＭＦＰ１は画像３０ａの入替えを停止する。
【００５６】
一方、時間ｔ３（＝（ｖ１０−ｖ２０）／（ｂ−ｃ））よりも後の時点において減衰指示操作が行われた場合、減衰指示操作が行われた時点の時間ｔに基づいて算出される第１移動量は第２移動量未満となる。よって、ＭＦＰ１は、減衰指示操作が行われた後も第１移動量に基づく追従処理を継続する。このようにすれば、ユーザが減衰指示操作を行ったのにも関わらず、画像３０ａの見かけ上の移動速度が低減せず、逆に大きくなってしまうことを防止できる。
【００５７】
なお、ＭＦＰ１は、移動量が小さくなるほど、ＶＲＡＭ１３更新の時間間隔を長く設定することにより、ＬＣＤ１６における画像３０ａの入れ替えの速さを制御するものとする。例えば、第１移動量（＝３０）で追従処理を行うために、ＶＲＡＭ１３の更新を、例えば０．１秒間隔で行っていたところ、減衰指示操作が行われたため、第２移動量（＝１５）の減衰処理に移行する場合は、ＶＲＡＭ１３の更新を、例えば、０．２秒間隔に変更する。
【００５８】
図５は、ＭＦＰ１において実行される表示更新処理（追従処理と減衰処理とを含む）を示すフローチャートである。この表示更新処理は、ユーザの入力操作に応じてスライド表示を行うための処理であり、ＭＦＰ１の主電源が投入されてから主電源が遮断されるまで繰り返し実行される。
【００５９】
まず、ＣＰＵ１０は、図１（ｂ）に示す操作画面をＬＣＤ１６に描画させ（Ｓ５０４）、次に、ユーザによりタッチパネル１７が操作されたか否かを判断する（Ｓ５０６）。Ｓ５０６の判断が否定される場合（Ｓ５０６：Ｎｏ）、ＣＰＵ１０は、処理を待機する。
【００６０】
一方、Ｓ５０６の判断が肯定される場合（Ｓ５０６：Ｙｅｓ）、次に、ＣＰＵ１０は、スライドバー３３が操作されたか否か、すなわち、タッチパネル１７の検出領域に、指が接触した接触状態である場合に、その接触領域を検出し、その接触領域がスライドバー３３の表示位置であるか否かを判断する（Ｓ５０８）。
【００６１】
Ｓ５０８の判断が肯定される場合（Ｓ５０８：Ｙｅｓ）、ＣＰＵ１０は、図６を参照して後述するスライドバー操作取得処理（Ｓ５１０）を実行し、Ｓ５０６に戻る。一方、Ｓ５０８の判断が否定される場合（Ｓ５０８：Ｎｏ）、ＣＰＵ１０は、ユーザによるスライドバー３３以外の操作に応じたその他の処理を実行し（Ｓ５１２）、Ｓ５０６に戻る。例えば、左スクロールキー３２が操作された場合は、Ｓ５１２において、画像表示エリア３０に表示する画像３０ａを、１ページ分前の画像３０ａに入れ替える処理を行う。
【００６２】
図６は、スライドバー操作取得処理（Ｓ５１０）を示すフローチャートである。このスライドバー操作取得処理（Ｓ５１０）は、ユーザがスライドバー３３に対し行った操作に基づいて、画像表示エリア３０に表示する画像３０ａを入れ替える処理である。
【００６３】
まず、ＣＰＵ１０は、スライドバー３３において指が接触した位置を検出する（Ｓ６０４）。そして、スライドバー３３において指が１秒以上停止したか否かを判断する（Ｓ６０６）。Ｓ６０６の判断が否定される場合（Ｓ６０６：Ｎｏ）、Ｓ６０４に戻り処理を繰り返す。
【００６４】
一方、Ｓ６０６の判断が肯定される場合（Ｓ６０６：Ｙｅｓ）、ＣＰＵ１０は、検出された接触位置に対応した目標表示順序を取得する（Ｓ６０７）。次に、ＣＰＵ１０は、選択対象とされるファイルの総数（すなわち、ＬＣＤ１６において表示対象とされる画像３０ａの数）が、ユーザ設定値以上であるか否かを判断する（Ｓ６０８）。なお、ユーザ設定値は、ユーザにより設定され、例えば、フラッシュメモリ１４に予め記憶されている。
【００６５】
Ｓ６０８の判断が否定される場合（Ｓ６０８：Ｎｏ）、ＣＰＵ１０は、スライダ３４を予め定められた一定速度で移動させる（Ｓ６１０）。すなわち、スライドバー３３におけるスライダ３４の表示位置を、一定距離ずつ変更する。そして、ＣＰＵ１０は、移動したスライダ３４の位置に応じて、画面内に表示されている画像３０ａを入れ替える（Ｓ６１２）。すなわち、選択対象とされるファイル数がそれほど多くなく、所望の画像３０ａを容易に見つけ出せる場合には、上述した追従処理と減衰処理とを行わず、画像３０ａの見かけ上の移動速度が一定となるように、画像表示エリア３０における画像３０ａを入れ替える通常のスライド表示を行う。
【００６６】
なお、Ｓ６０８の判断においては、全ファイルの中から選択したいファイルを選択することが困難であるほどファイルの数が多いか否かを判断できればよく、例えば、全ファイルに基づく画像３０ａを順番に画像表示エリア３０に表示していく場合に必要となるページ数が閾値以上であるか否かを判断するように構成しても良い。
【００６７】
次に、ＣＰＵ１０は、スライドバー３３から指が離れたか否かを判断し（Ｓ６１４）、Ｓ６１４の判断が肯定される場合（Ｓ６１４：Ｙｅｓ）、ＣＰＵ１０は、画像３０ａの入替えを停止して、すなわちスライド表示を停止して、Ｓ５０６に戻り処理を繰り返す。
【００６８】
一方、Ｓ６１４の判断が否定される場合（Ｓ６１４：Ｎｏ）、次に、ＣＰＵ１０は、スライダ３４がスライドバー３３における指の位置まで到達したか否かを判断する（Ｓ６１６）。Ｓ６１６の判断が否定される場合（Ｓ６１６：Ｎｏ）、ＣＰＵ１０は、Ｓ６１０に戻り処理を繰り返す。また、Ｓ６１６の判断が肯定される場合（Ｓ６１６：Ｙｅｓ）、ＣＰＵ１０は、画像３０ａの入替えを停止してＳ５０６に戻り、処理を繰り返す。
【００６９】
次に、Ｓ６０８の判断が肯定される場合について説明する。Ｓ６０８の判断が肯定される場合（Ｓ６０８：Ｙｅｓ）、ＣＰＵ１０は、上記（１）式に基づいて、第１移動量を取得する（Ｓ６１８）。
【００７０】
次に、ＣＰＵ１０は、取得した第１移動量に基づく追従処理を実行する（Ｓ６２０）。具体的には、上述したように、ＶＲＡＭ１３におけるビットマップデータを、第１移動量に基づいて決まる時間間隔で更新することにより、スライド表示を行う。そして、表示中の画像３０ａの表示順序に応じて、スライダ３４の表示位置を変更する（Ｓ６２２）。
【００７１】
次に、ＣＰＵ１０は、スライドバー３３から指が離れたか否かを判断する（Ｓ６２４）。Ｓ６２４の判断が否定される場合（Ｓ６２４：Ｎｏ）、次に、ＣＰＵ１０は、スライダ３４がスライドバー３３における指の位置まで到達したか否かを判断する（Ｓ６２６）。Ｓ６２６の判断が否定される場合（Ｓ６２６：Ｎｏ）、ＣＰＵ１０は、Ｓ６１８に戻り処理を繰り返す。すなわち、所定期間毎に第１移動量を取得し、新たに取得された第１移動量に基づく追従処理を継続する。
【００７２】
一方、Ｓ６２４の判断が肯定される場合（Ｓ６２４：Ｙｅｓ）、ＣＰＵ１０は、スライドバー３３に指が接触してからの経過時間ｔが、（ｖ１０−ｖ２０）／（ｂ−ｃ）未満であるか否かを判断する（Ｓ６２８）。すなわち、スライドバー３３に指が接触してからの経過時間ｔに基づいて算出される第１移動量Ｖ１（＝ｖ１０−ｂｔ）が、同じ時間ｔに基づいて算出される第２移動量Ｖ２（＝ｖ２０−ｃｔ）よりも大きいか否かを判断するのである。
【００７３】
Ｓ６２８の判断が肯定される場合（Ｓ６２８：Ｙｅｓ）、ＣＰＵ１０は、図７に示す処理に移行し、減衰処理を開始する。一方、Ｓ６２８の判断が否定される場合（Ｓ６２８：Ｎｏ）、ＣＰＵ１０は、Ｓ６１８に戻り処理を繰り返す。すなわち、第１移動量に基づく追従処理を継続する。なお、Ｓ６２８の判断が否定された後、追従処理を継続する間に、ユーザが所定の減衰停止処理を行う場合、ＣＰＵ１０は、画像３０ａの入替えを停止し、Ｓ５０６に戻るものとするが、フローチャートへの図示および詳細な説明は省略する。
【００７４】
図７は、図６に示すスライドバー操作取得処理（Ｓ５１０）の続きを示すフローチャートである。図７に示すフローチャートに従った処理により、ＣＰＵ１０は、減衰処理を実行する。
【００７５】
まず、ＣＰＵ１０は、上記（２）式に基づいて、第２移動量を取得する（Ｓ７０２）。次に、ＣＰＵ１０は、第２移動量で、画像表示エリア３０に表示する画像３０ａを入れ替える減衰処理を実行する（Ｓ７０４）。具体的には、上述したように、ＶＲＡＭ１３におけるビットマップデータを、第２移動量に基づいて決まる時間間隔で更新する。
【００７６】
次に、ＣＰＵ１０は、表示される画像３０ａの表示順序に応じてスライダ３４の位置を変更する（Ｓ７０６）。
【００７７】
次に、ＣＰＵ１０は、減衰停止操作が有ったか否かを判断する（Ｓ７０８）。Ｓ７０８の判断が肯定される場合（Ｓ７０８：Ｙｅｓ）、例えば、スライドバー３３に指を再度接触させる操作が行われた場合、ＣＰＵ１０は、画像３０ａの入替えを停止し、すなわち減衰処理を停止してＳ５０６に戻る。ユーザにとっては、所望の画像３０ａを見つけた時点において、簡単な減衰停止操作を行うことにより、所望の表示順序で減衰処理を停止することができ、操作性が良い。
【００７８】
一方、Ｓ７０８の判断が否定される場合（Ｓ７０８：Ｎｏ）、ＣＰＵ１０は、スライドバー操作取得処理（Ｓ５１０）の開始時に、スライドバー３３において長押し操作がされた位置に、スライダ３４が到達したか否かを判断する（Ｓ７１０）。Ｓ７１０の判断が否定される場合（Ｓ７１０：Ｎｏ）、ＣＰＵ１０は、Ｓ７０２に戻り処理を繰り返す。すなわち、第２移動量を所定期間毎に取得し、新たに取得した第２移動量に基づいて、減衰処理を継続する。一方、Ｓ７１０の判断が肯定される場合（Ｓ７１０：Ｙｅｓ）、すなわち、画像３０ａの表示順序が目標表示順序に到達した場合、ＣＰＵ１０は、画像３０ａの入替えを停止してＳ５０６に戻り、処理を繰り返す。
【００７９】
上記実施形態においてファイルに基づく画像３０ａが表示順序が対応づけられた情報の一例に相当し、ＬＣＤ１６が表示手段の一例に相当し、指が入力媒体の一例に相当し、タッチパネル１７が検出手段の一例に相当し、Ｓ６０７を実行するＣＰＵ１０が目標取得手段の一例に相当し、Ｓ５１０を実行するＣＰＵ１０が制御手段の一例に相当し、減衰指示操作が所定の操作の一例に相当し、（１）式が第１の関係に相当し、Ｓ６１８を実行するＣＰＵ１０が第１移動量取得手段の一例に相当し、（２）式が第２の関係に相当し、Ｓ７０２を実行するＣＰＵ１０が第２移動量取得手段の一例に相当し、Ｓ６２８を実行するＣＰＵ１０が判断手段の一例に相当する。
【００８０】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８１】
例えば、上記実施形態では、減衰指示操作として、ユーザが指などの入力媒体を、タッチパネル１７から遠ざけ、非接触とする操作を例に挙げて説明した。しかしながら、ＭＦＰ１において、減衰処理を開始させるための減衰指示操作（所定の操作）の具体例はこれに限られず、例えば、スライドバー３３内の１点をダブルクリックする操作を、減衰指示操作としても良い。また、タッチパネル１７における入力媒体の長押しを継続しつつ、タッチパネル１７上の他の一点に指などの入力媒体をタッチすることにより、タッチパネル１７上の２点をタッチする操作を、減衰指示操作としても良い。
【００８２】
また、上記実施形態では、長押し操作がされることを条件としてスライド表示を開始していたが、ＭＦＰ１において、スライド表示を開始させるための操作の具体例はこれに限られない。例えば、スライドバー３３内の１点をダブルクリックする操作を、スライド表示を開始させるための操作としても良い。また、タッチパネル１７上の２点をタッチする操作を、スライド表示を開始させるための操作としても良い。
【００８３】
また、上記実施形態では、減衰処理の間、入力媒体がタッチパネル１７に非接触であるものとして説明したが、減衰処理の開始後、タッチパネル１７におけるいずれかの位置において入力媒体の接触が継続する間、減衰処理の実行を継続するように表示装置を構成しても良い。また、上記タッチパネル１７においては、入力媒体の接触が検出される検出領域の数（電極の数）が、接触面積の大きさを表している。したがって、減衰処理の実行中、タッチパネル１７において、入力媒体の接触が検出される検出領域の数に基づいて、第２移動量を変化させるように、表示装置を構成しても良い。例えば、入力媒体の接触面積が大きくなれば第２移動量を増大させ、入力媒体の接触面積が小さくなれば第２移動量を低減させるように構成する。このようにすれば、ユーザにとっては、減衰処理中に、タッチパネル１７における指の接触面積を増大させることにより、画像３０ａの見かけ上の移動速度を増大させることができる。一方、タッチパネル１７に触れている指を僅かに浮かせ接触面積を低減させることにより、画像３０ａの見かけ上の移動速度を低減させることができる。その結果、ユーザは、より直感的な操作で、画像３０ａの見かけ上の移動速度を調整することができる。
【００８４】
また、上記実施形態では、ユーザの指の接触を検出するタッチパネル１７を用いているが、ユーザの指の接近を検出するタッチパネルを用いても良い。具体的には、指先とタッチパネルとが接近（又は接触）した場合に、指とタッチパネルとが静電結合して、指とタッチパネルとの間の静電容量が変化することを利用した投影型静電容量方式のタッチパネルを用いても良い。また、指の接近（又は接触）を赤外線や電界で検知する方式のタッチパネルを用いても良い。
【００８５】
また、上記実施形態では、ＬＣＤ１６の画像表示エリア３０には、表示順序の昇順に画像３０ａが配置されるものとして説明したが、表示順序の降順に画像３０ａが並べて表示される場合にも本発明は適用可能である。
【００８６】
また、上記実施形態では、ファイルに基づく画像３０ａが、表示順序が対応づけられた情報の一例であったが、画像以外であっても、前記情報は、表示順序が対応づけられ情報であればよく、例えば文字列であっても良い。例えば、画像表示エリア３０に代えて、文字列で構成される複数の情報がリスト表示されるエリアを設け、ユーザ操作に応じて、各情報を表示順序の順にリスト表示する場合にも、本発明は適用し得る。
【００８７】
また、上記（１），（２）式における比例定数ｂ，ｃは、予め定められた固定値であっても良いし、ユーザにより適宜変更可能な値であっても良い。また、上記（１），（２）式により算出される第１移動量および第２移動量は、スライドバー３３に指が接触してからの経過時間ｔに基づいて算出されるものであったが、例えば、スライドバー３３において指が接触する位置にスライダ３４が到達するまでの残距離Ｌに基づいて算出されるものであっても良い。また、上記（１），（２）式は、時間ｔを変数とした一次関数により、第１移動量および第２移動量を算出するものであったが、時間ｔまたは残距離Ｌのｎ次関数（ｎは２以上の整数）により第１移動量および第２移動量を算出するように構成しても良い。また、どのような関数に基づき、第１移動量および第２移動量を算出するかを、ユーザが選択できるように構成しても良い。
【００８８】
また、上記実施形態では、追従処理において、画像３０ａの見かけ上の移動速度が徐々に低減するように表示出力を制御していたが、これに代えて、追従処理を行う間、画像３０ａの見かけ上の移動速度（すなわち、単位時間の最初に表示出力される情報の表示順序と当該単位時間の最後に表示出力される情報の表示順序との差）が、常に一定であるように、表示装置を構成しても良い。
【００８９】
また、上記実施形態においては、「単位時間の最初に表示される対象表示情報の表示順序と当該単位時間の最後に表示される対象表示情報の表示順序との差が小さくなるように、表示手段を制御する」ための具体的手段として、ＶＲＡＭ１３の更新の時間間隔を、第１移動量または第２移動量に基づいて変更する例を説明した。しかしながら、他にも様々な具体的手段が考えられる。以下、第１変形例を説明する。例えば、１画面に６つの画像３０ａが表示される構成において、単位時間が０．６秒間であって、第１移動量が２４である場合、第１変形例では、表示順序１から６の画像３０ａを表示対象としてビットマップデータを作成しＶＲＡＭ１３に記憶するという処理を行った後、次に、表示順序１３から１８の画像３０ａを表示対象としてビットマップデータを作成しＶＲＡＭ１３に記憶するという処理を行い、次に、表示順序２５から３０の画像３０ａを表示対象としてビットマップデータを作成しＶＲＡＭ１３に記憶するという処理を行うことにより、０．２秒毎にＶＲＡＭ１３を更新する構成としても良い。なお、ここでいう「単位時間の最初に表示出力される情報の表示順序と当該単位時間の最後に表示される情報の表示順序との差」とは、単位時間の最初に表示される情報（画像３０ａ）の表示順序のうち最小の値と、単位時間の最後に表示される情報の表示情報のうちの最小の値の差、または、単位時間の最初に表示される情報の表示順序のうち最大の値と単位時間の最後に表示される情報のうち最大の値の差、として求めることができる値である。この変形例のように、表示情報に従った順序で目標表示順序まで各情報を表示していく過程において、ＬＣＤ１６には表示されない表示順序の情報（すなわち、表示がスキップされる情報）が存在していても良い。
【００９０】
表示装置において上記第１変形例を採用する場合、表示されない画像３０ａの数を少なくすることにより、「単位時間の最初に表示出力される情報の表示順序と当該単位時間の最後に表示出力される情報の表示順序との差」が小さくなるように、表示出力を制御しても良い。
【００９１】
また、ＭＦＰ１は、３ページ分のビットマップデータ（例えば、１度に６個の情報が表示される場合は、１８個の情報を含む画像に対応するビットマップデータ）が展開されたメモリの先頭アドレスにアクセスし、アクセスしたアドレスから１ページ分のビットマップデータが示す画像を表示し、アクセスするアドレスを、所定ライン分ずつ変更していくことで、画像をスライド表示させる構成であっても良い。この例を、以下、第２変形例とし説明する。第２変形例を採用する場合、単位時間（例えば０．６秒間）に、表示順序の差が第１移動量（例えば３０）となるように画像を表示させる処理は、例えば以下の手順となる。まず、表示順序１〜６、７〜１２、１３〜１８の情報に基づいて３ページ分のビットマップデータを作成しメモリに記憶する。次に、そのメモリの先頭アドレスにアクセスして画面を表示し、アクセスするアドレスを徐々に後ろのアドレスまでずらしつつ画面を表示する。そして、０．３秒間でメモリに記憶される３ページ分のビットマップデータの表示を行ったら、次に、表示順序１９〜２４に基づく１ページ分のビットマップデータを作成しメモリの先頭アドレスから記憶する。すなわち、表示順序１〜６の情報に基づくビットマップデータが記憶されていた領域に、表示順序１９〜２４の情報に基づくビットマップデータを上書きする。さらに０．１秒経過したら、表示順序２５〜３０の情報に基づく１ページ分のビットマップデータを作成しメモリの先頭アドレスから１ページ分のビットマップデータのメモリサイズ分後ろのアドレスから記憶する。さらに、０．１秒経過したら、表示順序３１〜３６の情報に基づく１ページ分のビットマップデータを作成しメモリの先頭アドレスから２ページ分のビットマップデータのメモリサイズ分後ろのアドレスから記憶する。このように、ＭＦＰ１が複数ページ分のビットマップデータを記憶するメモリを有し、制御手段が、メモリのアドレスをずらしながらメモリに記憶させるものであっても良い。この場合、単位時間（０．６秒）の最初に表示される情報の表示順序（例えば１〜３０）と、単位時間の最後に表示される情報の表示順序（例えば３１〜３６）との差は、「３０」となる。
【００９２】
表示装置において上記第２変形例を採用する場合、単位時間の最初に表示出力される情報の表示順序と当該単位時間の最後に表示出力される情報の表示順序との差」が小さくなるように、表示出力を制御するためには、例えば、ビットマップデータの更新の時間間隔を長くすれば良い。
【符号の説明】
【００９３】
１              ＭＦＰ
１０            ＣＰＵ
１６            ＬＣＤ
１７            タッチパネル
３３            スライドバー
【図１】
2011100183.tif 000003
【図２】
2011100183.tif 000004
【図３】
2011100183.tif 000005
【図４】
2011100183.tif 000006
【図５】
2011100183.tif 000007
【図６】
2011100183.tif 000008
【図７】
2011100183.tif 000009